(57)【要約】【課題】タブ群とケースとを絶縁できる蓄電装置及び蓄電装置の製造方法を提供する。【解決手段】二次電池１０は、正極電極及び負極電極が積層され、正極電極のタブ側縁部から突出した正極タブ２５が積層された正極タブ群２５ａを有する電極組立体１２と、電極組立体１２を収容するケース本体１３を有するケース１１とを備える。二次電池１０は、正極タブ群２５ａの基端側屈曲部２９ａとケース本体１３とを絶縁する第１絶縁部６１ｂと、正極タブ群２５ａの先端側屈曲部２９ｃとケース本体１３とを絶縁する第２絶縁部６２ｂと、第１絶縁部６１ｂと第２絶縁部６２ｂとを正極電極及び負極電極の積層方向に連結する連結部６３ｂと、第１絶縁部６１ｂと第２絶縁部６２ｂの向面Ｃ６１ｂ，Ｃ６２ｂで挟まれた空間Ｓ６０ｂとを有する第２の絶縁カバー６０ｂを備える。タブ側縁部に沿う方向を幅方向としたとき、空間Ｓ６０ｂは、幅方向の一方の片側で開放されている。【選択図】図１
2018206758.tif 000002
【特許請求の範囲】
【請求項１】
複数の正極及び負極の電極が絶縁された状態で積層され、前記電極の一辺の一部から突出したタブが同じ極性同士で積層されたタブ群を有する電極組立体と、前記電極組立体を収容するケース本体、及び該ケース本体の開口部を閉塞する蓋を有するケースと、
を備え、
前記電極の積層方向における前記タブ群の一端部及び他端部の少なくとも一方は、屈曲されて構成されている蓄電装置であって、
前記タブ群の一端部と前記ケース本体の内面との間に配置され、前記タブ群の一端部と前記ケース本体の内面とを絶縁する第１絶縁部と、前記タブ群の他端部と前記ケース本体の内面との間に配置され、前記タブ群の他端部と前記ケース本体の内面とを絶縁する第２絶縁部と、前記第１絶縁部と前記第２絶縁部とを前記積層方向に連結する連結部と、前記積層方向における前記第１絶縁部と前記第２絶縁部の対向面で挟まれた空間と、を有する絶縁部材を備え、
前記電極の一辺に沿う方向を幅方向としたとき、前記空間は、前記幅方向の少なくとも片側に開放されていることを特徴とする蓄電装置。
【請求項２】
同じ極性の前記タブ群と接合され、前記蓋と、該蓋の内面に対向し、かつ前記タブ群が存在する前記電極組立体のタブ側端面との間に配置された一対の導電部材を備え、
前記連結部は、前記導電部材と前記電極組立体のタブ側端面との間に位置し、前記導電部材と前記電極組立体とを絶縁する請求項１に記載の蓄電装置。
【請求項３】
前記タブ群の一端部は、前記タブ群の基端側の部位が屈曲された基端側屈曲部であり、
前記タブ群の他端部は、前記タブ群の先端側の部位が屈曲された先端側屈曲部であり、
前記タブ群は、前記先端側屈曲部から前記基端側屈曲部に向けて延びる余剰部を有し、
前記絶縁部材は、前記連結部から前記幅方向に沿って前記タブ群に向けて延びる延在部を有し、
前記延在部は、前記タブ群の余剰部を前記電極組立体側から覆う請求項２に記載の蓄電装置。
【請求項４】
前記絶縁部材は、前記連結部の縁部から前記蓋側に立設するとともに、前記導電部材と前記ケース本体の内面との間に配置され、前記導電部材と前記ケース本体の内面とを絶縁する絶縁壁部を有する請求項２又は請求項３に記載の蓄電装置。
【請求項５】
前記延在部は、側面と前記タブ群と対向する上面とが交差して形成される交差部を、前記幅方向に沿う縁部及び前記積層方向に沿う縁部に有し、
前記幅方向に沿う縁部に位置する前記交差部、及び前記積層方向に沿う縁部に位置する前記交差部のうち少なくとも一方は、角取りされた形状である請求項３又は請求項３を引用する請求項４に記載の蓄電装置。
【請求項６】
前記絶縁壁部は、前記積層方向における前記導電部材の一端部と前記ケース本体の内面との間に配置される第１壁部と、前記積層方向における前記導電部材の他端部と前記ケース本体の内面との間に配置される第２壁部とを有し、
前記第１壁部は、前記第２壁部に向けて突出する突部を有し、
前記第２壁部は、前記第１壁部に向けて突出する突部を有し、
前記突部は、前記導電部材に支持される請求項４又は請求項４を引用する請求項５に記載の蓄電装置。
【請求項７】
前記導電部材は、前記積層方向の一端部及び他端部に凹部を備えるとともに、前記凹部は、前記幅方向に対向する一対の内面を有し、
前記第１壁部の突部は、前記導電部材の積層方向の一端部の凹部に収容され、前記第２壁部の突部は、前記導電部材の積層方向の他端部の凹部に収容される請求項６に記載の蓄電装置。
【請求項８】
前記絶縁部材は、前記導電部材と前記蓋の内面との間に位置し、前記導電部材と前記蓋とを絶縁する蓋側絶縁部を備える請求項２〜請求項７の何れか一項に記載の蓄電装置。
【請求項９】
同じ極性の前記タブ群と接合され、前記蓋と、該蓋の内面に対向し、かつ前記タブ群が存在する前記電極組立体のタブ側端面との間に配置された一対の導電部材を備え、
前記連結部は、前記導電部材と前記蓋の内面との間に位置し、前記導電部材と前記蓋とを絶縁する請求項１に記載の蓄電装置。
【請求項１０】
複数の正極及び負極の電極が絶縁された状態で積層され、前記電極の一辺の一部から突出したタブが同じ極性同士で積層されたタブ群を有する電極組立体と、前記電極組立体を収容するケース本体、及び該ケース本体の開口部を閉塞する蓋を有するケースと、を備え、前記電極の積層方向における前記タブ群の一端部及び他端部の少なくとも一方は、屈曲されて構成されている蓄電装置の製造方法であって、
前記電極の一辺に沿う方向を幅方向としたとき、
前記タブ群の一端部と前記ケース本体の内面とを絶縁する第１絶縁部と、前記タブ群の他端部と前記ケース本体の内面とを絶縁する第２絶縁部と、前記第１絶縁部と前記第２絶縁部とを前記積層方向に連結する連結部と、前記積層方向における前記第１絶縁部と前記第２絶縁部の対向面で挟まれた空間と、を備える絶縁部材を、前記空間が前記幅方向の少なくとも片側に開放されるように配置し、前記絶縁部材を前記幅方向にスライドさせて、前記第１絶縁部によって前記タブ群の一端部を覆い、前記第２絶縁部によって前記タブ群の他端部を覆うことを特徴とする蓄電装置の製造方法。
【発明の詳細な説明】
【技術分野】
【０００１】
本発明は、正極及び負極の電極が積層され、かつタブ群を有する電極組立体、及び電極組立体を収容するケースを備え、電極の積層方向におけるタブ群の一端部及び他端部の少なくとも一方は屈曲されて構成されている蓄電装置及び蓄電装置の製造方法に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。一般的に、二次電池は、正極及び負極の電極が絶縁された状態で積層された電極組立体と、該電極組立体を収容するケースとを備える。電極組立体は、電極の一辺の一部から突出したタブを同じ極性同士で寄せ集めたタブ群を有する。特許文献１に開示の二次電池は、積層方向においてタブ群とケースの内面との間に配置されたスペーサを備える。スペーサは、積層方向の一端側からタブ群を覆う第１スペーサ部と、積層方向の他端側からタブ群を覆う第２スペーサ部とが積層方向に組み付けられた構成である。スペーサは、タブ群とケースの内面との接触を抑制する。
【先行技術文献】
【特許文献】
【０００３】
【特許文献１】特開２０１１−０７０９１８号公報
【発明の概要】
【発明が解決しようとする課題】
【０００４】
ところで、ケース内においてタブの突出方向に沿ったタブ群によるデッドスペースを減らすため、タブ群は突出したままでなく、積層方向の一端側から他端側に向けて屈曲されていることがある。屈曲されたタブ群は、屈曲状態から原形状に復帰しようとする力により、積層方向への寸法を大きくするように変形することがある。このとき、タブ群がスペーサに接触することで、第１スペーサ部と第２スペーサ部との組み付け状態が解除され、タブ群とケースとの絶縁性を確保できなくなるおそれがある。
【０００５】
本発明は、上記課題を解決するためになされたものであり、その目的は、タブ群とケースとを絶縁できる蓄電装置及び蓄電装置の製造方法を提供することにある。
【課題を解決するための手段】
【０００６】
上記問題点を解決するための蓄電装置は、複数の正極及び負極の電極が絶縁された状態で積層され、前記電極の一辺の一部から突出したタブが同じ極性同士で積層されたタブ群を有する電極組立体と、前記電極組立体を収容するケース本体、及び該ケース本体の開口部を閉塞する蓋を有するケースと、を備え、前記電極の積層方向における前記タブ群の一端部及び他端部の少なくとも一方は、屈曲されて構成されている蓄電装置であって、前記タブ群の一端部と前記ケース本体の内面との間に配置され、前記タブ群の一端部と前記ケース本体の内面とを絶縁する第１絶縁部と、前記タブ群の他端部と前記ケース本体の内面との間に配置され、前記タブ群の他端部と前記ケース本体の内面とを絶縁する第２絶縁部と、前記第１絶縁部と前記第２絶縁部とを前記積層方向に連結する連結部と、前記積層方向における前記第１絶縁部と前記第２絶縁部の対向面で挟まれた空間と、を有する絶縁部材を備え、前記電極の一辺に沿う方向を幅方向としたとき、前記空間は、前記幅方向の少なくとも片側に開放されていることを要旨とする。
【０００７】
これによれば、屈曲されているタブ群が原形状に復帰しようとする力により積層方向への寸法を大きくするように変形し、第１絶縁部や第２絶縁部に接触したとしても、連結部により、第１及び第２絶縁部の積層方向への位置ずれが抑制される。よって、絶縁部材により、タブ群とケースとを絶縁できる。また、絶縁部材は幅方向に開放された空間を有するため、電極組立体と蓋とを組み付けた後であっても、絶縁部材を幅方向にスライドさせることで、第１絶縁部をタブ群の一端部とケース本体との間に配置でき、第２絶縁部をタブ群の他端部とケース本体との間に配置できる。
【０００８】
また、上記蓄電装置について、同じ極性の前記タブ群と接合され、前記蓋と、該蓋の内面に対向し、かつ前記タブ群が存在する前記電極組立体のタブ側端面との間に配置された一対の導電部材を備え、前記連結部は、前記導電部材と前記電極組立体のタブ側端面との間に位置し、前記導電部材と前記電極組立体とを絶縁するのが好ましい。
【０００９】
これによれば、第１絶縁部と第２絶縁部とを連結する連結部によって、導電部材と電極組立体とを絶縁できる。
また、上記蓄電装置について、前記タブ群の一端部は、前記タブ群の基端側の部位が屈曲された基端側屈曲部であり、前記タブ群の他端部は、前記タブ群の先端側の部位が屈曲された先端側屈曲部であり、前記タブ群は、前記先端側屈曲部から前記基端側屈曲部に向けて延びる余剰部を有し、前記絶縁部材は、前記連結部から前記幅方向に沿って前記タブ群に向けて延びる延在部を有し、前記延在部は、前記タブ群の余剰部を前記電極組立体側から覆うのが好ましい。
【００１０】
タブ群の余剰部は、先端側屈曲部が原形状に戻ろうとすることにより、先端側屈曲部を軸として電極組立体のタブ側端面に向けて回動することがある。タブ群の余剰部は、延在部によって電極組立体側から覆われている。よって、余剰部が電極組立体側に回動しても、延在部により、余剰部は電極組立体のタブ側端面に接触しない。よって、タブ群と電極組立体とを絶縁できる。
【００１１】
また、上記蓄電装置について、前記絶縁部材は、前記連結部の縁部から前記蓋側に立設するとともに、前記導電部材と前記ケース本体の内面との間に配置され、前記導電部材と前記ケース本体の内面とを絶縁する絶縁壁部を有するのが好ましい。
【００１２】
これによれば、絶縁壁部によって、導電部材とケース本体とを絶縁できる。
また、上記蓄電装置について、前記延在部は、側面と前記タブ群と対向する上面とが交差して形成される交差部を、前記幅方向に沿う縁部及び前記積層方向に沿う縁部に有し、
前記幅方向に沿う縁部に位置する前記交差部、及び前記積層方向に沿う縁部に位置する前記交差部のうち少なくとも一方は、角取りされた形状であるのが好ましい。
【００１３】
絶縁部材を導電部材に取り付ける際に延在部の交差部とタブ群とが接触することがあるが、延在部の交差部は角取りされた形状であるため、延在部の交差部とタブ群とが接触することによるタブの損傷を抑制できる。
【００１４】
また、上記蓄電装置について、前記絶縁壁部は、前記積層方向における前記導電部材の一端部と前記ケース本体の内面との間に配置される第１壁部と、前記積層方向における前記導電部材の他端部と前記ケース本体の内面との間に配置される第２壁部とを有し、前記第１壁部は、前記第２壁部に向けて突出する突部を有し、前記第２壁部は、前記第１壁部に向けて突出する突部を有し、前記突部は、前記導電部材に支持されるのが好ましい。
【００１５】
これによれば、絶縁部材は、突部が導電部材に支持されることで導電部材に組み付けられる。よって、絶縁部材が電極組立体側へ移動することを規制できる。
また、上記蓄電装置について、前記導電部材は、前記積層方向の一端部及び他端部に凹部を備えるとともに、前記凹部は、前記幅方向に対向する一対の内面を有し、前記第１壁部の突部は、前記導電部材の積層方向の一端部の凹部に収容され、前記第２壁部の突部は、前記導電部材の積層方向の他端部の凹部に収容されるのが好ましい。
【００１６】
これによれば、絶縁部材が幅方向に移動しようとすると、突部は凹部の内面に接触する。よって、絶縁部材の幅方向への移動を規制できる。
また、上記蓄電装置について、前記絶縁部材は、前記導電部材と前記蓋の内面との間に位置し、前記導電部材と前記蓋とを絶縁する蓋側絶縁部を備えるのが好ましい。
【００１７】
これによれば、蓋側絶縁部によって、導電部材と蓋とを絶縁できる。
また、上記蓄電装置について、同じ極性の前記タブ群と接合され、前記蓋と、該蓋の内面に対向し、かつ前記タブ群が存在する前記電極組立体のタブ側端面との間に配置された一対の導電部材を備え、前記連結部は、前記導電部材と前記蓋の内面との間に位置し、前記導電部材と前記蓋とを絶縁するのが好ましい。
【００１８】
これによれば、第１絶縁部と第２絶縁部とを連結する連結部によって、導電部材と蓋とを絶縁できる。
上記問題点を解決するための蓄電装置の製造方法は、複数の正極及び負極の電極が絶縁された状態で積層され、前記電極の一辺の一部から突出したタブが同じ極性同士で積層されたタブ群を有する電極組立体と、前記電極組立体を収容するケース本体、及び該ケース本体の開口部を閉塞する蓋を有するケースと、を備え、前記電極の積層方向における前記タブ群の一端部及び他端部の少なくとも一方は、屈曲されて構成されている蓄電装置の製造方法であって、前記電極の一辺に沿う方向を幅方向としたとき、前記タブ群の一端部と前記ケース本体の内面とを絶縁する第１絶縁部と、前記タブ群の他端部と前記ケース本体の内面とを絶縁する第２絶縁部と、前記第１絶縁部と前記第２絶縁部とを前記積層方向に連結する連結部と、前記積層方向における前記第１絶縁部と前記第２絶縁部の対向面で挟まれた空間と、を備える絶縁部材を、前記空間が前記幅方向の少なくとも片側に開放されるように配置し、前記絶縁部材を前記幅方向にスライドさせて、前記第１絶縁部によって前記タブ群の一端部を覆い、前記第２絶縁部によって前記タブ群の他端部を覆うことを要旨とする。
【００１９】
これによれば、屈曲されているタブ群が原形状に復帰しようとする力により積層方向への寸法を大きくするように変形し、第１絶縁部や第２絶縁部に接触したとしても、連結部により、第１及び第２絶縁部の積層方向への位置ずれが抑制される。よって、絶縁部材により、タブ群とケースとを絶縁できる。また、絶縁部材は幅方向に開放された空間を有するため、電極組立体と蓋とを組み付けた後であっても、絶縁部材を幅方向にスライドさせることで、第１絶縁部をタブ群の一端部とケース本体との間に配置でき、第２絶縁部をタブ群の他端部とケース本体との間に配置できる。
【発明の効果】
【００２０】
本発明によれば、タブ群とケースとを絶縁できる。
【図面の簡単な説明】
【００２１】
【図１】第１の実施形態の二次電池の分解斜視図。
【図２】（ａ）は第１の実施形態の二次電池の断面図、（ｂ）は（ａ）のＸ−Ｘ線断面図。
【図３】第２の実施形態の二次電池の分解斜視図。
【図４】（ａ）は第２の実施形態の二次電池の断面図、（ｂ）は（ａ）のＸ−Ｘ線断面図。
【図５】第３の実施形態の二次電池の分解斜視図。
【図６】第４の実施形態の二次電池の分解斜視図。
【図７】（ａ）は第５の実施形態の二次電池の分解斜視図、（ｂ）は（ａ）の拡大図。
【図８】（ａ）は第５の実施形態の二次電池の断面図、（ｂ）は（ａ）のＸ−Ｘ線断面。
【図９】第５の実施形態の第２の絶縁カバーと正極導電部材との組み付け状態を示す平面図。
【図１０】第６の実施形態の二次電池の分解斜視図。
【図１１】第６の実施形態の二次電池の断面図。
【発明を実施するための形態】
【００２２】
（第１の実施形態）
以下、蓄電装置を二次電池に具体化した第１の実施形態を図１及び図２にしたがって説明する。
【００２３】
図１に示すように、蓄電装置としての二次電池１０は、ケース１１を備える。二次電池１０は、ケース１１に収容された電極組立体１２を備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００２４】
ケース本体１３は、矩形板状の底壁３０と、底壁３０の一対の長側縁から立設された一対の長側壁３１と、底壁３０の一対の短側縁から立設された一対の短側壁３２とを有する。以下、長側壁３１及び短側壁３２の面に沿い、かつ底壁３０から長側壁３１及び短側壁３２が立設する方向を高さ方向とする。高さ方向において、底壁３０側を下側とし、底壁３０と反対側（蓋１４側）を上側とする。蓋１４において、ケース１１の内側に臨む面を内面１４ａとし、ケース１１の外側に臨む面を外面１４ｂとする。
【００２５】
図２（ｂ）に示すように、電極組立体１２は、シート状の複数の正極電極２０と負極電極２１とセパレータ２２とを備える。電極組立体１２は、正極電極２０と負極電極２１との間にセパレータ２２を介在させ、かつ相互に絶縁させた状態で積層した層状構造を備える。
【００２６】
正極電極２０は、矩形シート状の正極金属箔（例えばアルミニウム箔）２３と、正極金属箔２３の両面に存在する正極活物質層２４とを有する。正極電極２０は、一対の長辺に沿う縁部のうちの一方の縁部に一辺としてのタブ側縁部２０ａを備える。正極電極２０は、タブ側縁部２０ａの一部から突出した形状のタブとしての正極タブ２５を有する（図１参照）。正極タブ２５は、正極活物質層２４が存在せず、正極金属箔２３そのもので構成されている。
【００２７】
負極電極２１は、矩形シート状の負極金属箔（例えば銅箔）２６と、負極金属箔２６の両面に存在する負極活物質層２７とを有する。負極電極２１は、一対の長辺に沿う縁部のうちの一方の縁部に一辺としてのタブ側縁部２１ａを備える。負極電極２１は、タブ側縁部２１ａの一部から突出した形状のタブとしての負極タブ２８を有する。負極タブ２８は、負極活物質層２７が存在せず、負極金属箔２６そのもので構成されている。複数の正極タブ２５及び負極タブ２８は、正極電極２０及び負極電極２１が積層された状態で、正極タブ２５と負極タブ２８とが重ならない位置に存在する。
【００２８】
セパレータ２２は、絶縁性を有し、正極電極２０と負極電極２１とを絶縁する。正極電極２０、負極電極２１、及びセパレータ２２が積層された方向を電極組立体１２の積層方向とする。また、正極電極２０及び負極電極２１のタブ側縁部２０ａ，２１ａに沿う方向を幅方向とする。
【００２９】
各正極電極２０は、それぞれの正極タブ２５が積層方向に沿って列状に配置されるように積層される。同様に、各負極電極２１は、それぞれの負極タブ２８が積層方向に沿って列状に配置されるように積層される。電極組立体１２は、全ての正極タブ２５を積層方向の一端側に寄せ集め、積層した正極タブ群２５ａを備える。また、電極組立体１２は、全ての負極タブ２８を積層方向の一端側に寄せ集め、積層して構成された負極タブ群２８ａを備える。
【００３０】
電極組立体１２は、正極タブ群２５ａ及び負極タブ群２８ａが存在する端面にタブ側端面１２ａを備える。タブ側端面１２ａは、正極電極２０のタブ側縁部２０ａ及び負極電極２１のタブ側縁部２１ａを寄せ集めて形成されている。電極組立体１２のタブ側端面１２ａからの正極タブ群２５ａ及び負極タブ群２８ａの突出方向は一致している。また、電極組立体１２は、ケース本体１３の一方の短側壁３２の内面と対向する端面に第１側面１２ｂを備え、他方の短側壁３２の内面と対向する端面に第２側面１２ｃを備える。第１側面１２ｂと第２側面１２ｃは、幅方向に対をなす面である。
【００３１】
正極タブ群２５ａ及び負極タブ群２８ａは、突出方向の基端側の部位が積層方向の一端側から他端側に屈曲された基端側屈曲部２９ａを備える。基端側屈曲部２９ａは、正極電極２０及び負極電極２１の積層方向における正極タブ群２５ａ及び負極タブ群２８ａの一端部である。正極タブ群２５ａ及び負極タブ群２８ａは、基端側屈曲部２９ａよりも先端側で積層方向に延びる部分に延出部２９ｂを備える。正極タブ群２５ａ及び負極タブ群２８ａは、突出方向の先端側の部位が積層方向の他端側から一端側に屈曲された先端側屈曲部２９ｃを備える。先端側屈曲部２９ｃは、正極電極２０及び負極電極２１の積層方向における正極タブ群２５ａ及び負極タブ群２８ａの他端部である。正極タブ群２５ａ及び負極タブ群２８ａは、先端側屈曲部２９ｃから基端側屈曲部２９ａに向けて延びる余剰部２９ｄを備える。
【００３２】
正極タブ群２５ａには、電極組立体１２と後述の正極端子構造１５とを電気的に接続するための矩形板状の導電部材としての正極導電部材１７が接合されている。同様に、負極タブ群２８ａには、電極組立体１２と後述の負極端子構造１６とを電気的に接続するための矩形板状の導電部材としての負極導電部材１８が接合されている。正極タブ群２５ａは、正極導電部材１７の電極組立体１２側の下端面１７ａと電気的に接続されている。負極タブ群２８ａは、負極導電部材１８の電極組立体１２側の下端面１８ａと電気的に接続されている。正極導電部材１７及び負極導電部材１８は、蓋１４の内面１４ａと電極組立体１２のタブ側端面１２ａとの間に配置されている。正極導電部材１７及び負極導電部材１８の長手方向は、幅方向と一致している。
【００３３】
図１及び図２（ａ）に示すように、正極端子構造１５及び負極端子構造１６は、それぞれ引出端子５１を備える。正極の引出端子５１は、板状の接合部５１ａと、接合部５１ａから突出するとともに蓋１４を貫通する軸部５１ｂとを有する。正極の引出端子５１の接合部５１ａは、正極導電部材１７の蓋１４側の上端面１７ｂと電気的に接続されている。負極の引出端子５１の接合部５１ａは、負極導電部材１８の蓋１４側の上端面１８ｂと電気的に接続されている。図２（ａ）に示すように、各引出端子５１の軸部５１ｂは、蓋１４の外面１４ｂより外側に突出するとともに、外側に突出した部分はかしめられている。正極タブ群２５ａは、正極端子構造１５の引出端子５１よりも幅方向中央寄りに存在し、負極タブ群２８ａは、負極端子構造１６の引出端子５１よりも幅方向中央寄りに存在する。つまり、正極タブ群２５ａ及び負極タブ群２８ａは、幅方向において正極端子構造１５の引出端子５１と負極端子構造１６の引出端子５１との間に存在する。正極端子構造１５及び負極端子構造１６は、蓋１４の外面１４ｂで引出端子５１の軸部５１ｂと電気的に接続された端子接続部材５２と、蓋１４の外側で端子接続部材５２と電気的に接続された外部接続端子５３を備える。
【００３４】
正極端子構造１５及び負極端子構造１６は、端子接続部材５２及び外部接続端子５３を蓋１４から絶縁する外側絶縁部材５４を蓋１４の外面１４ｂに備える。正極端子構造１５及び負極端子構造１６は、板状の内側絶縁部材５５をケース１１の内部に備える。正極端子構造１５の内側絶縁部材５５は、正極導電部材１７の上端面１７ｂと蓋１４の内面１４ａとの間に配置され、正極導電部材１７と蓋１４とを絶縁する。同様に、負極端子構造１６の内側絶縁部材５５は、負極導電部材１８の上端面１８ｂとの間に配置され、負極導電部材１８と蓋１４とを絶縁する。内側絶縁部材５５は、厚さ方向に貫通する貫通孔５５ａを有する。貫通孔５５ａの径は、軸部５１ｂの径よりも大きい。各引出端子５１の軸部５１ｂは、内側絶縁部材５５、外側絶縁部材５４、蓋１４、及び端子接続部材５２を貫通する。正極端子構造１５及び負極端子構造１６は、内側絶縁部材５５の貫通孔５５ａと引出端子５１の軸部５１ｂとの間に配置されるシールリング５６を備える。シールリング５６は、蓋１４の内面１４ａのうち軸部５１ｂが貫通する貫通孔の周囲に密接することで、ケース１１の内外をシールしている。
【００３５】
二次電池１０は、ケース１１内において、電極組立体１２のタブ側端面１２ａと蓋１４の内面１４ａとの間に位置する絶縁部材としての絶縁カバー６０を備える。絶縁カバー６０は、樹脂製である。絶縁カバー６０は、第１の絶縁カバー６０ａと、第２の絶縁カバー６０ｂと、第３の絶縁カバー６０ｃとを備える。
【００３６】
第１の絶縁カバー６０ａは、第１絶縁部６１ａと、第２絶縁部６２ａと、連結部としての第３絶縁部６３ａとを備える。第１〜第３絶縁部６１ａ〜６３ａはそれぞれ平板状をなす。
【００３７】
図２（ｂ）に示すように、第１絶縁部６１ａは、負極タブ群２８ａの基端側屈曲部２９ａと、ケース本体１３の長側壁３１の内面３１ａとの間に配置され、負極タブ群２８ａの基端側屈曲部２９ａとケース本体１３とを絶縁する。第２絶縁部６２ａは、負極タブ群２８ａの先端側屈曲部２９ｃと、ケース本体１３の長側壁３１の内面３１ａとの間に配置され、負極タブ群２８ａの先端側屈曲部２９ｃとケース本体１３とを絶縁する。
【００３８】
組み付け前の第１の絶縁カバー６０ａにおいて、第１絶縁部６１ａの対向面としての内面Ｃ６１ａと、第２絶縁部６２ａの対向面としての内面Ｃ６２ａとは積層方向に対向する。第１の絶縁カバー６０ａは、第１絶縁部６１ａの内面Ｃ６１ａと第２絶縁部６２ａの内面Ｃ６２ａとで挟まれた空間Ｓ６０ａを備える。空間Ｓ６０ａは、幅方向における一方の片側で開放され、他方の片側は、第３絶縁部６３ａによって閉じられている。また、組み付け後の第１の絶縁カバー６０ａでは、高さ方向において、第１及び第２絶縁部６１ａ，６２ａの上端面Ａ１，Ａ２の位置は、負極導電部材１８の電極組立体１２側の下端面１８ａの位置と一致する。高さ方向において、第１及び第２絶縁部６１ａ，６２ａの下端面Ｂ１，Ｂ２の位置は、電極組立体１２のタブ側端面１２ａの位置と一致する。第１絶縁部６１ａの内面Ｃ６１ａは、負極タブ群２８ａの基端側屈曲部２９ａと対向し、第２絶縁部６２ａの内面Ｃ６２ａは、負極タブ群２８ａの先端側屈曲部２９ｃと対向する。
【００３９】
図１に示すように、第３絶縁部６３ａは、第１絶縁部６１ａの幅方向の一端部と第２絶縁部６２ａの幅方向の一端部とを積層方向に連結する。図２（ａ）に示すように、第３絶縁部６３ａは、電極組立体１２のタブ側端面１２ａと、負極導電部材１８の下端面１８ａとの間に配置される。第３絶縁部６３ａは、負極端子構造１６の引出端子５１の下側に位置する。第３絶縁部６３ａは、電極組立体１２と負極導電部材１８とを絶縁する。
【００４０】
第２の絶縁カバー６０ｂは、第１絶縁部６１ｂと、第２絶縁部６２ｂと、連結部としての第３絶縁部６３ｂとを備える。第１〜第３絶縁部６１ｂ〜６３ｂはそれぞれ平板状をなす。
【００４１】
図示しないが、第１絶縁部６１ｂは、正極タブ群２５ａの基端側屈曲部２９ａと、ケース本体１３の長側壁３１の内面３１ａとの間に配置され、正極タブ群２５ａの基端側屈曲部２９ａとケース本体１３とを絶縁する。第２絶縁部６２ｂは、正極タブ群２５ａの先端側屈曲部２９ｃと、ケース本体１３の長側壁３１の内面３１ａとの間に配置され、正極タブ群２５ａの先端側屈曲部２９ｃとケース本体１３とを絶縁する。
【００４２】
組み付け前の第２の絶縁カバー６０ｂにおいて、第１絶縁部６１ｂの対向面としての内面Ｃ６１ｂと、第２絶縁部６２ｂの対向面としての内面Ｃ６２ｂとは積層方向に対向する。第２の絶縁カバー６０ｂは、第１絶縁部６１ｂの内面Ｃ６１ｂと第２絶縁部６２ｂの内面Ｃ６２ｂとで挟まれた空間Ｓ６０ｂを備える。空間Ｓ６０ｂは、幅方向における一方の片側で開放され、他方の片側は、第３絶縁部６３ｂによって閉じられている。また、組み付け後の第２の絶縁カバー６０ｂでは、高さ方向において、第１及び第２絶縁部６１ｂ，６２ｂの上端面の位置は、正極導電部材１７の電極組立体１２側の下端面１７ａの位置と一致する。高さ方向において、第１及び第２絶縁部６１ｂ，６２ｂの下端面の位置は、電極組立体１２のタブ側端面１２ａの位置と一致する。第１絶縁部６１ｂの内面Ｃ６１ｂは、正極タブ群２５ａの基端側屈曲部２９ａと対向し、第２絶縁部６２ｂの内面Ｃ６２ｂは、正極タブ群２５ａの先端側屈曲部２９ｃと対向する。
【００４３】
第３絶縁部６３ｂは、第１絶縁部６１ｂの幅方向の一端部と第２絶縁部６２ｂの幅方向の一端部とを積層方向に連結する。第３絶縁部６３ｂは、電極組立体１２のタブ側端面１２ａと、正極導電部材１７の下端面１７ａとの間に配置される。第３絶縁部６３ｂは、正極端子構造１５の引出端子５１の下側に位置する。第３絶縁部６３ｂは、電極組立体１２と正極導電部材１７とを絶縁する。
【００４４】
第３の絶縁カバー６０ｃは、平板状をなす。第３の絶縁カバー６０ｃは、正極導電部材１７及び負極導電部材１８の蓋１４側の上端面１７ｂ，１８ｂと、蓋１４の内面１４ａとの間に配置される。第３の絶縁カバー６０ｃは、正極導電部材１７及び負極導電部材１８と蓋１４とを絶縁する。
【００４５】
次に、二次電池１０の製造工程の一部である第１〜第３の絶縁カバー６０ａ〜６０ｃの取り付け工程について説明する。
まず、正極端子構造１５及び負極端子構造１６を蓋１４に組み付ける。詳しくは、正極導電部材１７と引出端子５１の接合部５１ａとを接合し、負極導電部材１８と引出端子５１の接合部５１ａとを接合する。次に、正極導電部材１７の上端面１７ｂ及び負極導電部材１８の上端面１８ｂ上に、内側絶縁部材５５、シールリング５６、及び第３の絶縁カバー６０ｃを配置した後、蓋１４を配置する。これにより、正極導電部材１７の上端面１７ｂと蓋１４の内面１４ａとの間、負極導電部材１８の上端面１８ｂと蓋１４の内面１４ａとの間に、内側絶縁部材５５、シールリング５６、及び第３の絶縁カバー６０ｃが介在する。各引出端子５１の軸部５１ｂは、内側絶縁部材５５の貫通孔５５ａ、シールリング５６、外側絶縁部材５４、蓋１４、及び端子接続部材５２に挿通される。次に、各引出端子５１の軸部５１ｂの先端部をかしめ、シールリング５６を蓋１４の挿通孔の周囲に密接させる。次に、電極組立体１２の正極タブ群２５ａと正極導電部材１７とを接合し、負極タブ群２８ａと負極導電部材１８とを接合する。これにより、電極組立体１２と蓋１４とが一体化される。
【００４６】
そして、負極端子構造１６及び電極組立体１２の第１側面１２ｂよりも幅方向外側に第１の絶縁カバー６０ａを配置する。このとき、第１及び第２絶縁部６１ａ，６２ａが第３絶縁部６３ａよりも負極タブ群２８ａ寄りとなるように第１の絶縁カバー６０ａを配置する。これにより、空間Ｓ６０ａは、幅方向の片側が負極タブ群２８ａに向けて開放された状態となる。次に、第１の絶縁カバー６０ａを幅方向中央に向けてスライドさせ、第１及び第２絶縁部６１ａ，６２ａの間に負極導電部材１８を通過させ、第３絶縁部６３ａを負極導電部材１８の下端面１８ａと、電極組立体１２のタブ側端面１２ａとの間に介在させる。このとき、負極タブ群２８ａの先端側の部位が第２絶縁部６２ａと接触して屈曲することにより、先端側屈曲部２９ｃが形成されるとともに、第３絶縁部６３ａは、負極端子構造１６の引出端子５１の下側に配置される。すると、第１絶縁部６１ａは、負極タブ群２８ａの基端側屈曲部２９ａと対向し、第２絶縁部６２ａは、負極タブ群２８ａの先端側屈曲部２９ｃと対向する。
【００４７】
同様に、正極端子構造１５及び電極組立体１２の第２側面１２ｃよりも幅方向外側に第２の絶縁カバー６０ｂを配置する。このとき、第１及び第２絶縁部６１ｂ，６２ｂが第３絶縁部６３ｂよりも正極タブ群２５ａ寄りとなるように第２の絶縁カバー６０ｂを配置する。これにより、空間Ｓ６０ｂは、幅方向の片側が正極タブ群２５ａに向けて開放された状態となる。次に、第２の絶縁カバー６０ｂを幅方向中央に向けてスライドさせ、第１及び第２絶縁部６１ｂ，６２ｂの間に正極導電部材１７を通過させ、第３絶縁部６３ｂを正極導電部材１７の下端面１７ａと、電極組立体１２のタブ側端面１２ａとの間に介在させる。このとき、正極タブ群２５ａの先端側の部位が第２絶縁部６２ｂと接触して屈曲することにより、先端側屈曲部２９ｃが形成されるとともに、第３絶縁部６３ｂは、正極端子構造１５の引出端子５１の下側に配置される。すると、第１絶縁部６１ｂは、正極タブ群２５ａの基端側屈曲部２９ａと対向し、第２絶縁部６２ｂは、正極タブ群２５ａの先端側屈曲部２９ｃと対向する。
【００４８】
その後、電極組立体１２をケース本体１３内に収容する。電極組立体１２がケース本体１３に収容されると、第１の絶縁カバー６０ａの第１絶縁部６１ａは、負極タブ群２８ａの基端側屈曲部２９ａとケース本体１３の内面３１ａとの間に位置し、第２絶縁部６２ａは、負極タブ群２８ａの先端側屈曲部２９ｃとケース本体１３の内面３１ａとの間に位置する。また、第２の絶縁カバー６０ｂの第１絶縁部６１ｂは、正極タブ群２５ａの基端側屈曲部２９ａとケース本体１３の内面３１ａとの間に位置し、第２絶縁部６２ｂは、正極タブ群２５ａの先端側屈曲部２９ｃとケース本体１３の内面３１ａとの間に位置する。
【００４９】
次に、第１の実施形態の効果を作用とともに記載する。
（１）屈曲されている負極タブ群２８ａの基端側屈曲部２９ａや先端側屈曲部２９ｃが原形状に復帰しようとする力により積層方向への寸法を大きくするように変形し、第１の絶縁カバー６０ａの第１絶縁部６１ａや第２絶縁部６２ａに接触したとしても、第３絶縁部６３ａにより、第１及び第２絶縁部６１ａ，６２ａの積層方向への位置ずれが抑制される。よって、第１の絶縁カバー６０ａにより、負極タブ群２８ａとケース本体１３とを絶縁できる。
【００５０】
同様に、屈曲されている正極タブ群２５ａの基端側屈曲部２９ａや先端側屈曲部２９ｃが原形状に復帰しようとする力により積層方向への寸法を大きくするように変形し、第２の絶縁カバー６０ｂの第１絶縁部６１ｂや第２絶縁部６２ｂに接触したとしても、第３絶縁部６３ｂにより、第１及び第２絶縁部６１ｂ，６２ｂの積層方向への位置ずれが抑制される。よって、第２の絶縁カバー６０ｂにより、正極タブ群２５ａとケース本体１３とを絶縁できる。
【００５１】
（２）第１及び第２の絶縁カバー６０ａ，６０ｂの空間Ｓ６０ａ，Ｓ６０ｂは、幅方向における一方の片側で開放されている。このため、電極組立体１２と蓋１４とを組み付けた後であっても、第１の絶縁カバー６０ａを幅方向にスライドさせることで、第１絶縁部６１ａを負極タブ群２８ａの基端側屈曲部２９ａとケース本体１３との間に配置でき、第２絶縁部６２ａを負極タブ群２８ａの先端側屈曲部２９ｃとケース本体１３との間に配置できる。同様に、第２の絶縁カバー６０ｂを幅方向にスライドさせることで、第１絶縁部６１ｂを正極タブ群２５ａの基端側屈曲部２９ａとケース本体１３との間に配置でき、第２絶縁部６２ｂを正極タブ群２５ａの先端側屈曲部２９ｃとケース本体１３との間に配置できる。
【００５２】
（３）第１の絶縁カバー６０ａにおいて、第１絶縁部６１ａと第２絶縁部６２ａとを連結する第３絶縁部６３ａによって、負極導電部材１８と電極組立体１２とを絶縁できる。同様に、第２の絶縁カバー６０ｂにおいて、第１絶縁部６１ｂと第２絶縁部６２ｂとを連結する第３絶縁部６３ｂによって、正極導電部材１７と電極組立体１２とを絶縁できる。
【００５３】
（第２の実施形態）
以下、蓄電装置を二次電池に具体化した第２の実施形態を図３及び図４にしたがって説明する。なお、ケース１１、電極組立体１２、正極端子構造１５、負極端子構造１６、正極導電部材１７、及び負極導電部材１８については、第１の実施形態と同構成であるため、説明を省略する。
【００５４】
図３、図４（ａ）、及び図４（ｂ）に示すように、二次電池１０は、ケース１１内において、電極組立体１２のタブ側端面１２ａと蓋１４の内面１４ａとの間に位置する絶縁部材としての絶縁カバー７０を備える。絶縁カバー７０は、樹脂製である。絶縁カバー７０は、第１の絶縁カバー７０ａと、第２の絶縁カバー７０ｂとを備える。第１の絶縁カバー７０ａと第２の絶縁カバー７０ｂは同じ構成であり、コ字状をなす。
【００５５】
第１の絶縁カバー７０ａ及び第２の絶縁カバー７０ｂは、第１絶縁部７１と、第２絶縁部７２と、連結部としての第３絶縁部７３とを備える。第１〜第３絶縁部７１〜７３はそれぞれ平板状をなす。
【００５６】
図４（ｂ）に示すように、第１の絶縁カバー７０ａの第１絶縁部７１は、負極タブ群２８ａの基端側屈曲部２９ａと、ケース本体１３の長側壁３１の内面３１ａとの間に配置され、負極タブ群２８ａの基端側屈曲部２９ａとケース本体１３とを絶縁する。第２絶縁部７２は、負極タブ群２８ａの先端側屈曲部２９ｃと、ケース本体１３の長側壁３１の内面３１ａとの間に配置され、負極タブ群２８ａの先端側屈曲部２９ｃとケース本体１３とを絶縁する。
【００５７】
組み付け前の第１の絶縁カバー７０ａにおいて、第１絶縁部７１の対向面としての内面Ｃ７１と、第２絶縁部７２の対向面としての内面Ｃ７２とは積層方向に対向する。第１の絶縁カバー７０ａは、第１絶縁部７１の内面Ｃ７１と第２絶縁部７２の内面Ｃ７２とで挟まれた空間Ｓ７０ａを備える。空間Ｓ７０ａは、幅方向の両側に開放されている。また、組み付け後の第１の絶縁カバー７０ａでは、高さ方向において、第１及び第２絶縁部７１，７２の下端面７１ａ，７２ａの位置は、電極組立体１２のタブ側端面１２ａの位置と一致する。第１絶縁部７１の内面Ｃ７１は、負極タブ群２８ａの基端側屈曲部２９ａと対向し、第２絶縁部７２の内面Ｃ７２は、負極タブ群２８ａの先端側屈曲部２９ｃと対向する。
【００５８】
図３に示すように、第１の絶縁カバー７０ａの第３絶縁部７３は、第１絶縁部７１の高さ方向の上端部と、第２絶縁部７２の高さ方向の上端部とを積層方向に連結する。第３絶縁部７３の幅方向の寸法Ｘ２は、正極導電部材１７と負極導電部材１８の幅方向の最短距離Ｙよりも小さい（図４（ａ）参照）。第３絶縁部７３は、負極導電部材１８の上端面１８ｂと蓋１４の内面１４ａとの間に配置される。第３絶縁部７３は、負極導電部材１８と蓋１４を絶縁する。
【００５９】
図示しないが、第２の絶縁カバー７０ｂの第１絶縁部７１は、正極タブ群２５ａの基端側屈曲部２９ａと、ケース本体１３の長側壁３１の内面３１ａとの間に配置され、正極タブ群２５ａの基端側屈曲部２９ａとケース本体１３とを絶縁する。第２絶縁部７２は、正極タブ群２５ａの先端側屈曲部２９ｃと、ケース本体１３の長側壁３１の内面３１ａとの間に配置され、正極タブ群２５ａの先端側屈曲部２９ｃとケース本体１３とを絶縁する。
【００６０】
組み付け前の第２の絶縁カバー７０ｂにおいて、第１絶縁部７１の対向面としての内面Ｃ７１と、第２絶縁部７２の対向面としての内面Ｃ７２とは積層方向に対向する。第２の絶縁カバー７０ｂは、第１絶縁部７１の内面Ｃ７１と第２絶縁部７２の内面Ｃ７２とで挟まれた空間Ｓ７０ｂを備える。空間Ｓ７０ｂは、幅方向の両側に開放されている。また、組み付け後の第２の絶縁カバー７０ｂでは、高さ方向において、第１及び第２絶縁部７１，７２の下端面７１ａ，７２ａの位置は、電極組立体１２のタブ側端面１２ａの位置と一致する。第１絶縁部７１の内面Ｃ７１は、正極タブ群２５ａの基端側屈曲部２９ａと対向し、第２絶縁部７２の内面Ｃ７２は、正極タブ群２５ａの先端側屈曲部２９ｃと対向する。
【００６１】
第２の絶縁カバー７０ｂの第３絶縁部７３は、第１絶縁部７１の高さ方向の上端部と、第２絶縁部７２の高さ方向の上端部とを積層方向に連結する。第３絶縁部７３の幅方向の寸法Ｘ２は、正極導電部材１７と負極導電部材１８の幅方向の最短距離Ｙよりも小さい（図４（ａ）参照）。第３絶縁部７３は、正極導電部材１７の上端面１７ｂと蓋１４の内面１４ａとの間に配置される。第３絶縁部７３は、正極導電部材１７と蓋１４を絶縁する。
【００６２】
次に、二次電池１０の製造工程の一部である第１及び第２の絶縁カバー７０ａ，７０ｂの組付工程について説明する。
まず、電極組立体１２の正極タブ群２５ａと正極導電部材１７とを接合し、負極タブ群２８ａと負極導電部材１８とを接合する。次に、正極端子構造１５及び負極端子構造１６を蓋１４に組み付けて、電極組立体１２と蓋１４とを一体化する。このとき、正極タブ群２５ａ及び負極タブ群２８ａに基端側屈曲部２９ａ、延出部２９ｂ、及び先端側屈曲部２９ｃが形成される。
【００６３】
そして、正極導電部材１７と負極導電部材１８との間から、電極組立体１２のタブ側端面１２ａと蓋１４の内面１４ａとの間に第１の絶縁カバー７０ａを配置する。このとき、空間Ｓ７０ａにおける幅方向の一方の片側が正極タブ群２５ａに向けて開放され、他方の片側が負極タブ群２８ａに向けて開放されるように第１の絶縁カバー７０ａを配置する。その後、第１の絶縁カバー７０ａを幅方向中央から幅方向外側（電極組立体１２の第１側面１２ｂ側）に向けてスライドさせ、第３絶縁部７３を負極導電部材１８の上端面１８ｂ上に配置する。すると、第１絶縁部７１は、負極タブ群２８ａの基端側屈曲部２９ａと対向し、第２絶縁部７２は、負極タブ群２８ａの先端側屈曲部２９ｃと対向する。同様に、正極導電部材１７と負極導電部材１８との間から、電極組立体１２のタブ側端面１２ａと蓋１４の内面１４ａとの間に第２の絶縁カバー７０ｂを配置する。このとき、空間Ｓ７０ｂにおける幅方向の一方の片側が正極タブ群２５ａに向けて開放され、他方の片側が負極タブ群２８ａに向けて開放されるように第２の絶縁カバー７０ｂを配置する。その後、第２の絶縁カバー７０ｂを幅方向中央から幅方向外側（電極組立体１２の第２側面１２ｃ側）に向けてスライドさせ、第３絶縁部７３を正極導電部材１７の上端面１７ｂ上に配置する。すると、第１絶縁部７１は、正極タブ群２５ａの基端側屈曲部２９ａと対向し、第２絶縁部７２は、正極タブ群２５ａの先端側屈曲部２９ｃと対向する。
【００６４】
その後、電極組立体１２をケース本体１３内に収容する。電極組立体１２がケース本体１３に収容されると、第１の絶縁カバー７０ａの第１絶縁部７１は、負極タブ群２８ａの基端側屈曲部２９ａとケース本体１３の内面３１ａとの間に位置し、第２絶縁部７２は、負極タブ群２８ａの先端側屈曲部２９ｃとケース本体１３の内面３１ａとの間に位置する。また、第２の絶縁カバー７０ｂの第１絶縁部７１は、正極タブ群２５ａの基端側屈曲部２９ａとケース本体１３の内面３１ａとの間に位置し、第２絶縁部７２は、正極タブ群２５ａの先端側屈曲部２９ｃとケース本体１３の内面３１ａとの間に位置する。
【００６５】
第２の実施形態では、第１の実施形態の効果（１）と同様の効果に加えて、以下の効果を得ることができる。
（４）第１の絶縁カバー７０ａにおいて、第１絶縁部７１と第２絶縁部７２とを連結する第３絶縁部７３によって、負極導電部材１８と蓋１４とを絶縁できる。同様に、第２の絶縁カバー７０ｂにおいて、第１絶縁部７１と第２絶縁部７２とを連結する第３絶縁部７３によって、正極導電部材１７と蓋１４とを絶縁できる。
【００６６】
（５）第１の絶縁カバー７０ａの第３絶縁部７３の幅方向の寸法Ｘ２は、正極導電部材１７と負極導電部材１８の幅方向の最短距離Ｙよりも小さいため、電極組立体１２と蓋１４とを組み付けた後であっても、正極導電部材１７と負極導電部材１８との間から電極組立体１２のタブ側端面１２ａと蓋１４の内面１４ａとの間に第１の絶縁カバー７０ａを配置できる。その後、第１の絶縁カバー７０ａを幅方向にスライドさせることで、第１絶縁部７１を負極タブ群２８ａの基端側屈曲部２９ａとケース本体１３との間に配置でき、第２絶縁部７２を負極タブ群２８ａの先端側屈曲部２９ｃとケース本体１３との間に配置できる。
【００６７】
同様に、第２の絶縁カバー７０ｂの第３絶縁部７３の幅方向の寸法Ｘ２は、正極導電部材１７と負極導電部材１８の幅方向の最短距離Ｙよりも小さいため、電極組立体１２と蓋１４とを組み付けた後であっても、正極導電部材１７と負極導電部材１８との間から電極組立体１２のタブ側端面１２ａと蓋１４の内面１４ａとの間に第２の絶縁カバー７０ｂを配置できる。その後、第２の絶縁カバー７０ｂを幅方向にスライドさせることで、第１絶縁部７１を正極タブ群２５ａの基端側屈曲部２９ａとケース本体１３との間に配置でき、第２絶縁部７２を正極タブ群２５ａの先端側屈曲部２９ｃとケース本体１３との間に配置できる。
【００６８】
（第３の実施形態）
以下、蓄電装置を二次電池に具体化した第３の実施形態を図５にしたがって説明する。なお、ケース１１、電極組立体１２、正極端子構造１５、負極端子構造１６、正極導電部材１７、及び負極導電部材１８については、第１の実施形態と同構成であるため、説明を省略する。
【００６９】
図５に示すように、二次電池１０は、ケース１１内において、電極組立体１２のタブ側端面１２ａと蓋１４の内面１４ａとの間に位置する絶縁部材としての絶縁カバー８０を備える。絶縁カバー８０は、樹脂製である。絶縁カバー８０は、第１の絶縁カバー８０ａと、第２の絶縁カバー８０ｂとを備える。
【００７０】
第１の絶縁カバー８０ａは、第１絶縁部８１と、第２絶縁部８２と、連結部としての第３絶縁部８３とを備える。第１〜第３絶縁部８１〜８３はそれぞれ平板状をなす。
第１絶縁部８１は、正極タブ群２５ａ及び負極タブ群２８ａの基端側屈曲部２９ａと、ケース本体１３の長側壁３１の内面３１ａとの間に配置され、正極タブ群２５ａ及び負極タブ群２８ａの基端側屈曲部２９ａとケース本体１３とを絶縁する。第２絶縁部８２は、正極タブ群２５ａ及び負極タブ群２８ａの先端側屈曲部２９ｃと、ケース本体１３の長側壁３１の内面３１ａとの間に配置され、正極タブ群２５ａ及び負極タブ群２８ａの先端側屈曲部２９ｃとケース本体１３とを絶縁する。
【００７１】
組み付け前の第１の絶縁カバー８０ａにおいて、第１絶縁部８１の対向面としての内面Ｃ８１と、第２絶縁部８２の対向面としての内面Ｃ８２とは積層方向に対向する。第１の絶縁カバー８０ａは、第１絶縁部８１の内面Ｃ８１と第２絶縁部７２の内面Ｃ８２とで挟まれた空間Ｓ８０ａを備える。空間Ｓ８０ａは、幅方向における一方の片側で開放され、他方の片側は、第３絶縁部８３によって閉じられている。第１及び第２絶縁部８１，８２の幅方向の寸法Ｘ３はそれぞれ、正極タブ群２５ａの幅方向の寸法、負極タブ群２８ａの幅方向の寸法、及び正極タブ群２５ａと負極タブ群２８ａの幅方向の最短距離を足し合わせた長さ以上である。よって、組み付け後の第１の絶縁カバー８０ａでは、第１絶縁部８１の内面Ｃ８１は、正極タブ群２５ａ及び負極タブ群２８ａの基端側屈曲部２９ａと対向し、第２絶縁部８２の内面Ｃ８２は、正極タブ群２５ａ及び負極タブ群２８ａの先端側屈曲部２９ｃと対向する。
【００７２】
第３絶縁部８３は、第１絶縁部８１の幅方向の一端部と第２絶縁部８２の幅方向の一端部とを積層方向に連結する。第３絶縁部８３は、電極組立体１２のタブ側端面１２ａと、負極導電部材１８の下端面１８ａとの間に配置される。第３絶縁部８３は、負極端子構造１６の引出端子５１の下側に位置する。第３絶縁部８３は、電極組立体１２と負極導電部材１８とを絶縁する。
【００７３】
第２の絶縁カバー８０ｂは、平板状をなす。第２の絶縁カバー８０ｂは、正極導電部材１７の下端面１７ａと、電極組立体１２のタブ側端面１２ａとの間に配置される。第２の絶縁カバー８０ｂは、正極端子構造１５の引出端子５１の下側に位置する。第２の絶縁カバー８０ｂは、正極導電部材１７と電極組立体１２とを絶縁する。
【００７４】
なお、第１及び第２の絶縁カバー８０ａ，８０ｂの取り付け工程は、第１の実施形態の第１及び第２の絶縁カバー６０ａ，６０ｂの取り付け工程と同様に行うことができるため、説明を省略する。
【００７５】
第３の実施形態では、第１の実施形態の効果（１）〜（３）と同様の効果に加えて、以下の効果を得ることができる。
（６）１つの第１の絶縁カバー８０ａによって、正極タブ群２５ａ及び負極タブ群２８ａの両方と、ケース本体１３とを絶縁できる。換言すると、正極タブ群２５ａとケース本体１３とを絶縁する絶縁部と負極タブ群２８ａとケース本体１３とを絶縁する絶縁部が一体化された状態である。この場合、正極タブ群２５ａと負極タブ群２８ａとで別々にケース本体１３の内面３１ａと絶縁する構成と比べて、部品点数を減らすことができる。
【００７６】
（第４の実施形態）
以下、蓄電装置を二次電池に具体化した第４の実施形態を図６にしたがって説明する。なお、ケース１１、電極組立体１２、正極端子構造１５、負極端子構造１６、正極導電部材１７、及び負極導電部材１８については、第１の実施形態と同構成であるため、説明を省略する。
【００７７】
図６に示すように、二次電池１０は、ケース１１内において、電極組立体１２のタブ側端面１２ａと蓋１４の内面１４ａとの間に位置する絶縁部材としての絶縁カバー９０を備える。絶縁カバー９０は、樹脂製である。絶縁カバー９０は、第１の絶縁カバー９０ａと、第２の絶縁カバー９０ｂとを備える。第１の絶縁カバー９０ａと第２の絶縁カバー９０ｂは同じ構成であり、コ字状をなす。
【００７８】
第１の絶縁カバー９０ａ及び第２の絶縁カバー９０ｂは、平板状の第１絶縁部９１と第２絶縁部９２と連結部９３とを備える。
第１の絶縁カバー９０ａの第１絶縁部９１は、負極タブ群２８ａの基端側屈曲部２９ａと、ケース本体１３の長側壁３１の内面３１ａとの間に配置され、負極タブ群２８ａの基端側屈曲部２９ａとケース本体１３とを絶縁する。第２絶縁部９２は、負極タブ群２８ａの先端側屈曲部２９ｃと、ケース本体１３の長側壁３１の内面３１ａとの間に配置され、負極タブ群２８ａの先端側屈曲部２９ｃとケース本体１３とを絶縁する。第１絶縁部９１及び第２絶縁部９２の幅方向の寸法Ｘ４はそれぞれ、正極導電部材１７と負極導電部材１８の幅方向の最短距離Ｙよりも小さい。
【００７９】
組み付け前の第１の絶縁カバー９０ａにおいて、第１絶縁部９１の対向面としての内面Ｃ９１と、第２絶縁部９２の対向面としての内面Ｃ９２とは積層方向に対向する。第１の絶縁カバー９０ａは、第１絶縁部９１の内面Ｃ９１と第２絶縁部９２の内面Ｃ９２とで挟まれた空間Ｓ９０ａを備える。空間Ｓ９０ａは、幅方向における一方の片側で開放され、他方の片側は、連結部９３によって閉じられている。また、組み付け後の第１の絶縁カバー９０ａでは、第１絶縁部９１の内面Ｃ９１は、負極タブ群２８ａの基端側屈曲部２９ａと対向し、第２絶縁部９２の内面Ｃ９２は、負極タブ群２８ａの先端側屈曲部２９ｃと対向する。
【００８０】
第１の絶縁カバー９０ａの連結部９３は、第１絶縁部９１の幅方向の一端部と第２絶縁部９２の幅方向の一端部とを積層方向に連結する。連結部９３は、負極タブ群２８ａよりも幅方向中央寄りに配置される。
【００８１】
第２の絶縁カバー９０ｂの第１絶縁部９１は、正極タブ群２５ａの基端側屈曲部２９ａと、ケース本体１３の長側壁３１の内面３１ａとの間に配置され、正極タブ群２５ａの基端側屈曲部２９ａとケース本体１３とを絶縁する。第２絶縁部９２は、正極タブ群２５ａの先端側屈曲部２９ｃと、ケース本体１３の長側壁３１の内面３１ａとの間に配置され、正極タブ群２５ａの先端側屈曲部２９ｃとケース本体１３とを絶縁する。第１絶縁部９１及び第２絶縁部９２の幅方向の寸法Ｘ４はそれぞれ、正極導電部材１７と負極導電部材１８の幅方向の最短距離Ｙよりも小さい。
【００８２】
組み付け前の第２の絶縁カバー９０ｂにおいて、第１絶縁部９１の対向面としての内面Ｃ９１と、第２絶縁部９２の対向面としての内面Ｃ９２とは積層方向に対向する。第２の絶縁カバー９０ｂは、第１絶縁部９１の内面Ｃ９１と第２絶縁部９２の内面Ｃ９２とで挟まれた空間Ｓ９０ｂを備える。空間Ｓ９０ｂは、幅方向における一方の片側で開放され、他方の片側は、連結部９３によって閉じられている。また、組み付け後の第２の絶縁カバー９０ｂでは、第１絶縁部９１の内面Ｃ９１は、正極タブ群２５ａの基端側屈曲部２９ａと対向し、第２絶縁部９２の内面Ｃ９２は、正極タブ群２５ａの先端側屈曲部２９ｃと対向する。
【００８３】
第２の絶縁カバー９０ｂの連結部９３は、第１絶縁部９１の幅方向の一端部と第２絶縁部９２の幅方向の一端部とを積層方向に連結する。連結部９３は、正極タブ群２５ａよりも幅方向中央寄りに配置される。
【００８４】
なお、第１及び第２の絶縁カバー９０ａ，９０ｂの取り付け工程は、第２の実施形態の第１及び第２の絶縁カバー７０ａ，７０ｂの取り付け工程と同様に行うことができるため、説明を省略する。
【００８５】
第４の実施形態では、第１の実施形態の効果（１）、及び第２の実施形態の効果（５）と同様の効果を得ることができる。
（第５の実施形態）
以下、蓄電装置を二次電池に具体化した第５の実施形態を図７〜図９にしたがって説明する。なお、ケース１１、電極組立体１２、正極端子構造１５、負極端子構造１６、及び第３の絶縁カバー６０ｃについては、第１の実施形態と同構成であるため、説明を省略する。
【００８６】
図７（ａ）に示すように、正極導電部材１７は、積層方向の一端部１７ｃ及び他端部１７ｄに凹部１７１を備え、負極導電部材１８は、積層方向の一端部１８ｃ及び他端部１８ｄに凹部１８１を備える。各凹部１７１，１８１は、正極導電部材１７及び負極導電部材１８の長手方向、すなわち幅方向に対向する一対の内面を有する。各凹部１７１，１８１は、上端面１７ｂ，１８ｂ側に開口し、下端面１７ａ，１８ａ側は閉塞されている。
【００８７】
図７（ａ）、図８（ａ）、及び図８（ｂ）に示すように、本実施形態の第１の絶縁カバー６０ｄは、第１の実施形態の第１の絶縁カバー６０ａと同様、第１絶縁部６１ａと、第２絶縁部６２ａと、連結部としての第３絶縁部６３ａとを備える。第３絶縁部６３ａは、幅方向において第１絶縁部６１ａ及び第２絶縁部６２ａ側に位置するとともに積層方向に沿う縁部に延出縁部６３１を有する。第１絶縁部６１ａ及び第２絶縁部６２ａの幅方向における第３絶縁部６３ａ側の一端は、延出縁部６３１に沿う直線上に位置する。本実施形態の第３絶縁部６３ａは、延出縁部６３１から幅方向において負極タブ群２８ａに向けて延びる矩形板状の延在部６４を備える。図８（ｂ）に示すように、延在部６４は、負極タブ群２８ａの余剰部２９ｄを電極組立体１２側から覆う。
【００８８】
図７（ａ）、図８（ａ）、及び図９に示すように、本実施形態の第２の絶縁カバー６０ｅは、第１の実施形態の第２の絶縁カバー６０ｂと同様、第１絶縁部６１ｂと、第２絶縁部６２ｂと、連結部としての第３絶縁部６３ｂとを備える。第３絶縁部６３ｂは、幅方向において第１絶縁部６１ｂ及び第２絶縁部６２ｂ側に位置するとともに積層方向に沿う縁部に延出縁部６３１を有する。第１絶縁部６１ｂ及び第２絶縁部６２ｂの幅方向における第３絶縁部６３ｂ側の一端は、延出縁部６３１に沿う直線上に位置する。本実施形態の第３絶縁部６３ｂは、延出縁部６３１から幅方向において正極タブ群２５ａに向けて延びる矩形板状の延在部６４を備える。延在部６４は、正極タブ群２５ａの余剰部２９ｄを電極組立体１２側から覆う。
【００８９】
各延在部６４における幅方向に沿う一対の縁部のうち、一方の縁部は、積層方向において第２絶縁部６２ａ，６２ｂと連続し、他方の縁部である第１縁部６４ａは、積層方向において第１絶縁部６１ａ，６１ｂと離間している。また、各延在部６４は、幅方向において各第３絶縁部６３ａ，６３ｂとは反対側に位置するとともに、積層方向に沿う第２縁部６４ｂを有する。図７（ｂ）に示すように、各延在部６４は、第１縁部６４ａ及び第２縁部６４ｂに、延在部６４の厚みを形成する側面と正極タブ群２５ａ又は負極タブ群２８ａと対向する上面とが交差して形成された交差部Ｒを有する。各交差部Ｒは、角取りされた形状である。
【００９０】
本実施形態の第１及び第２の絶縁カバー６０ｄ，６０ｅの第３絶縁部６３ａ，６３ｂは、延出縁部６３１を除く３つの縁部から蓋１４に向けて立設する矩形板状の絶縁壁部としての第１〜第３壁部６５ａ〜６５ｃを有する。第１壁部６５ａは、積層方向において第１絶縁部６１ａ，６１ｂ側に位置し、第２壁部６５ｂは、積層方向において第２絶縁部６２ａ，６２ｂ側に位置する。第３壁部６５ｃは、幅方向において延在部６４とは反対側であるケース本体１３側に位置する。第１壁部６５ａ及び第２壁部６５ｂの長手方向は、幅方向と一致する。第３壁部６５ｃの長手方向は、積層方向と一致する。
【００９１】
第１壁部６５ａの幅方向の一端は、第１絶縁部６１ａ，６１ｂの幅方向の一端と連続し、第１壁部６５ａの幅方向の他端は、第３壁部６５ｃの積層方向の一端と連続する。つまり、本実施形態では、矩形状の一枚板の長手方向の一端側が第１壁部６５ａであり、長手方向の他端側が第１絶縁部６１ａ，６１ｂである。また、第１壁部６５ａと第１絶縁部６１ａ，６１ｂとの境界は、第３絶縁部６３ａ，６３ｂの延出縁部６３１に沿う直線上に位置する。同様に、第２壁部６５ｂの幅方向の一端は、第２絶縁部６２ａ，６２ｂの幅方向の一端と連続し、第２壁部６５ｂの幅方向の他端は、第３壁部６５ｃの積層方向の他端と連続する。つまり、本実施形態では、矩形状の一枚板の長手方向の一端側が第２壁部６５ｂであり、長手方向の他端側が第２絶縁部６２ａ，６２ｂである。また、第２壁部６５ｂと第２絶縁部６２ａ，６２ｂとの境界は、第３絶縁部６３ａ，６３ｂの延出縁部６３１に沿う直線上に位置する。
【００９２】
図９に示すように、第２の絶縁カバー６０ｅにおいて、第１絶縁部６１ｂ、第２絶縁部６２ｂ、及び第１〜第３壁部６５ａ〜６５ｃは、高さ方向から見たとき、幅方向の中央に向けて開口するＵ字型である。同様に、第１の絶縁カバー６０ｄにおいて、第１絶縁部６１ａ、第２絶縁部６２ａ、及び第１〜第３壁部６５ａ〜６５ｃは、高さ方向から見たとき、幅方向の中央に向けて開口するＵ字型である。
【００９３】
第１の絶縁カバー６０ｄの第１壁部６５ａは、負極導電部材１８の積層方向の一端部１８ｃと、ケース本体１３の長側壁３１の内面３１ａとの間に配置され、負極導電部材１８とケース本体１３とを絶縁する。図８（ａ）に示すように、第１の絶縁カバー６０ｄの第２壁部６５ｂは、負極導電部材１８の積層方向の他端部１８ｄと、ケース本体１３の長側壁３１の内面３１ａとの間に配置され、負極導電部材１８とケース本体１３とを絶縁する。第１の絶縁カバー６０ｄの第３壁部６５ｃは、負極導電部材１８の長手方向におけるケース１１寄りの端側端部１８ｅと、ケース本体１３の短側壁３２の内面３２ａとの間に配置され、負極導電部材１８とケース本体１３とを絶縁する。
【００９４】
第２の絶縁カバー６０ｅの第１壁部６５ａは、正極導電部材１７の積層方向の一端部１７ｃと、ケース本体１３の長側壁３１の内面３１ａとの間に配置され、正極導電部材１７とケース本体１３とを絶縁する。第２の絶縁カバー６０ｅの第２壁部６５ｂは、正極導電部材１７の積層方向の他端部１７ｄと、ケース本体１３の長側壁３１の内面３１ａとの間に配置され、正極導電部材１７とケース本体１３とを絶縁する。第２の絶縁カバー６０ｅの第３壁部６５ｃは、正極導電部材１７の長手方向におけるケース１１寄りの端側端部１７ｅと、ケース本体１３の短側壁３２の内面３２ａとの間に配置され、正極導電部材１７とケース本体１３とを絶縁する。
【００９５】
図７（ａ）及び図９に示すように、各第１壁部６５ａは、第２壁部６５ｂと向かい合う面に、弾性変形する突部６６を有する。第２の絶縁カバー６０ｅの第１壁部６５ａの突部６６は、正極導電部材１７の積層方向の一端部１７ｃに形成された凹部１７１に収容されている。第１の絶縁カバー６０ｄの第１壁部６５ａの突部６６は、負極導電部材１８の積層方向の一端部１８ｃに形成された凹部１８１に収容されている。各第２壁部６５ｂは、第１壁部６５ａと向かい合う面に、弾性変形する突部６６を有する。第２の絶縁カバー６０ｅの第２壁部６５ｂの突部６６は、正極導電部材１７の積層方向の他端部１７ｄに形成された凹部１７１に収容されている。第１の絶縁カバー６０ｄの第２壁部６５ｂの突部６６は、負極導電部材１８の積層方向の他端部１８ｄに形成された凹部１８１に収容されている。
【００９６】
次に、負極導電部材１８に対する第１の絶縁カバー６０ｄの組み付け工程について詳述する。なお、正極導電部材１７に対する第２の絶縁カバー６０ｅの組み付け工程については、負極導電部材１８に対する第１の絶縁カバー６０ｄの組み付け工程と同様であるため説明を省略する。また、第１の実施形態と同様の工程については説明を省略する。
【００９７】
第１の絶縁カバー６０ｄを幅方向中央に向けてスライドさせると、負極導電部材１８は、第１絶縁部６１ａと第２絶縁部６２ａとの間、及び第１壁部６５ａと第２壁部６５ｂとの間に配置される。また、負極タブ群２８ａの基端側屈曲部２９ａは、第１絶縁部６１ａと延在部６４の第１縁部６４ａとの隙間に挿入され、負極タブ群２８ａの余剰部２９ｄと電極組立体１２のタブ側端面１２ａとの間には、延在部６４が挿入される。また、負極導電部材１８の下端面１８ａと電極組立体１２のタブ側端面１２ａとの間には第３絶縁部６３ａが挿入される。第１壁部６５ａの突部６６は、第１の絶縁カバー６０ｄのスライド途中に、負極導電部材１８の積層方向の一端部１８ｃに押圧されて圧縮されるが、凹部１８１に収容されて原形状に復帰する。同様に、第２壁部６５ｂの突部６６は、第１の絶縁カバー６０ｄのスライド途中に負極導電部材１８の積層方向の他端部１８ｄに押圧されて圧縮されるが、凹部１８１に収容されて原形状に復帰する。
【００９８】
その後、電極組立体１２をケース本体１３内に収容する。電極組立体１２がケース本体１３に収容されると、第１の絶縁カバー６０ｄの第１絶縁部６１ａは、負極タブ群２８ａの基端側屈曲部２９ａとケース本体１３の内面３１ａとの間に位置し、第２絶縁部６２ａは、負極タブ群２８ａの先端側屈曲部２９ｃとケース本体１３の内面３１ａとの間に位置する。同様に、第２の絶縁カバー６０ｅの第１絶縁部６１ｂは、正極タブ群２５ａの基端側屈曲部２９ａとケース本体１３の内面３１ａとの間に位置し、第２絶縁部６２ｂは、正極タブ群２５ａの先端側屈曲部２９ｃとケース本体１３の内面３１ａとの間に位置する。
【００９９】
また、第１の絶縁カバー６０ｄの第１壁部６５ａは、負極導電部材１８の積層方向の一端部１８ｃとケース本体１３の内面３１ａとの間に位置し、第２壁部６５ｂは、負極導電部材１８の積層方向の他端部１８ｄとケース本体１３の内面３１ａとの間に位置し、第３壁部６５ｃは、負極導電部材１８の端側端部１８ｅとケース本体１３の内面３２ａとの間に位置する。同様に、第２の絶縁カバー６０ｅの第１壁部６５ａは、正極導電部材１７の積層方向の一端部１７ｃとケース本体１３の内面３１ａとの間に位置し、第２壁部６５ｂは、正極導電部材１７の積層方向の他端部１７ｄとケース本体１３の内面３１ａとの間に位置し、第３壁部６５ｃは、正極導電部材１７の端側端部１７ｅとケース本体１３の内面３２ａとの間に位置する。
【０１００】
第５の実施形態では、第１の実施形態の効果（１）〜（３）と同様の効果に加えて、以下の効果を得ることができる。
（７）負極タブ群２８ａ及び正極タブ群２５ａの余剰部２９ｄは、先端側屈曲部２９ｃが原形状に戻ろうとすることにより、先端側屈曲部２９ｃを軸として電極組立体１２のタブ側端面１２ａに向けて回動することがある。負極タブ群２８ａの余剰部２９ｄは、第１の絶縁カバー６０ｄの延在部６４によって電極組立体１２側から覆われている。よって、余剰部２９ｄが電極組立体１２側に回動しても、延在部６４により、余剰部２９ｄは電極組立体１２のタブ側端面１２ａに接触しない。よって、負極タブ群２８ａと電極組立体１２とを絶縁できる。同様に、正極タブ群２５ａの余剰部２９ｄは、第２の絶縁カバー６０ｅの延在部６４によって覆われている。よって、余剰部２９ｄが電極組立体１２側に向けて回動しても、延在部６４により、余剰部２９ｄは電極組立体１２のタブ側端面１２ａに接触しない。よって、正極タブ群２５ａと電極組立体１２とを絶縁できる。
【０１０１】
（８）第１の絶縁カバー６０ｄの第１壁部６５ａにより、負極導電部材１８の積層方向の一端部１８ｃとケース本体１３とを絶縁できる。第１の絶縁カバー６０ｄの第２壁部６５ｂにより、負極導電部材１８の積層方向の他端部１８ｄとケース本体１３とを絶縁できる。第１の絶縁カバー６０ｄの第３壁部６５ｃにより、負極導電部材１８の端側端部１８ｅとケース本体１３とを絶縁できる。
【０１０２】
同様に、第２の絶縁カバー６０ｅの第１壁部６５ａにより、正極導電部材１７の積層方向の一端部１７ｃとケース本体１３とを絶縁できる。第２の絶縁カバー６０ｅの第２壁部６５ｂにより、正極導電部材１７の積層方向の他端部１７ｄとケース本体１３とを絶縁できる。第２の絶縁カバー６０ｅの第３壁部６５ｃにより、正極導電部材１７の端側端部１７ｅとケース本体１３とを絶縁できる。
【０１０３】
（９）第１の絶縁カバー６０ｄを負極導電部材１８に取り付ける際に、延在部６４の交差部Ｒと負極タブ群２８ａとが接触することがある。同様に、第２の絶縁カバー６０ｅを正極導電部材１７に取り付ける際に、延在部６４の交差部Ｒと正極タブ群２５ａとが接触することがある。本実施形態の各延在部６４の交差部Ｒは、角取りされた形状である。よって、延在部６４の交差部Ｒと正極タブ群２５ａ又は負極タブ群２８ａとが接触することによる正極タブ２５又は負極タブ２８の損傷を抑制できる。
【０１０４】
（１０）第１の絶縁カバー６０ｄは、突部６６を有する。第１の絶縁カバー６０ｄは、突部６６が負極導電部材１８に支持されることで負極導電部材１８に組み付けられる。よって、第１の絶縁カバー６０ｄの高さ方向下側（電極組立体１２側）への移動を規制できる。同様に、第２の絶縁カバー６０ｅは、突部６６を有する。第２の絶縁カバー６０ｅは、突部６６が正極導電部材１７に支持されることで正極導電部材１７に組み付けられる。よって、第２の絶縁カバー６０ｅの高さ方向下側（電極組立体１２側）への移動を規制できる。
【０１０５】
（１１）第１の絶縁カバー６０ｄは、第１壁部６５ａ及び第２壁部６５ｂに突部６６を備える。負極導電部材１８は、積層方向の一端部１８ｃ及び他端部１８ｄに凹部１８１を備える。凹部１８１は、幅方向に対向する一対の内面を有する。突部６６は、凹部１８１に収容されている。このため、第１の絶縁カバー６０ｄが幅方向に移動しようとすると、突部６６は凹部１７１の内面に接触する。よって、第１の絶縁カバー６０ｄの幅方向への移動を規制できる。同様に、第２の絶縁カバー６０ｅは、第１壁部６５ａ及び第２壁部６５ｂに突部６６を備える。正極導電部材１７は、積層方向の一端部１７ｃ及び他端部１７ｄに凹部１７１を備える。凹部１７１は、幅方向に対向する一対の内面を有する。突部６６は、凹部１７１に収容されている。このため、第２の絶縁カバー６０ｅが幅方向に移動しようとすると、突部６６は凹部１７１の内面に接触する。よって、第２の絶縁カバー６０ｅの幅方向への移動を規制できる。
【０１０６】
（第６の実施形態）
以下、蓄電装置を二次電池に具体化した第６の実施形態を図１０及び図１１にしたがって説明する。なお、ケース１１、電極組立体１２、正極導電部材１７、及び負極導電部材１８については、第１の実施形態と同構成であるため、説明を省略する。また、第１の絶縁カバー及び第２の絶縁カバーについては、第５の実施形態と異なる構成についてのみ説明する。
【０１０７】
図１０に示すように、本実施形態の二次電池１０は、第３の絶縁カバー６０ｃを備えない。また、本実施形態の正極端子構造１５及び負極端子構造１６は、内側絶縁部材５５を備えない。
【０１０８】
本実施形態の第１の絶縁カバー６０ｆは、高さ方向において第３絶縁部６３ａ及び延在部６４と向かい合う矩形板状の蓋側絶縁部としての第４絶縁部６７を備える。第４絶縁部６７の縁部は、第１絶縁部６１ａ、第２絶縁部６２ａ、及び第１〜第３壁部６５ａ〜６５ｃの各上端部と連続する。第４絶縁部６７の長手方向は、幅方向と一致する。本実施形態の第４絶縁部６７の長手方向の寸法は、負極導電部材１８の長手方向の寸法とほぼ同じである。第４絶縁部６７は、幅方向において第３壁部６５ｃとは反対側の縁部から第３壁部６５ｃに向けて凹設された挿入溝６７ａを有する。挿入溝６７ａには、引出端子５１の軸部５１ｂが挿入される。軸部５１ｂは、挿入溝６７ａに挿入されることにより第４絶縁部６７を厚さ方向に貫通した状態となる。
【０１０９】
図１１に示すように、第４絶縁部６７は、負極導電部材１８の上端面１８ｂと蓋１４の内面１４ａとの間に配置され、負極導電部材１８と蓋１４とを絶縁する。すなわち、第４絶縁部６７は、第１〜第５の実施形態における内側絶縁部材５５の代わりとなる部材である。シールリング５６は、第４絶縁部６７の挿入溝６７ａの内側と引出端子５１の軸部５１ｂとの間に配置される。
【０１１０】
本実施形態の第２の絶縁カバー６０ｇは、高さ方向において第３絶縁部６３ａ及び延在部６４と向かい合う矩形板状の蓋側絶縁部としての第４絶縁部６７を備える。第４絶縁部６７の縁部は、第１絶縁部６１ｂ、第２絶縁部６２ｂ、及び第１〜第３壁部６５ａ〜６５ｃの各上端部と連続する。第４絶縁部６７の長手方向は、幅方向と一致する。本実施形態の第４絶縁部６７の長手方向の寸法は、正極導電部材１７の長手方向の寸法とほぼ同じである。
【０１１１】
第４絶縁部６７は、幅方向において第３壁部６５ｃとは反対側の縁部から第３壁部６５ｃに向けて凹設された挿入溝６７ａを有する。挿入溝６７ａには、引出端子５１の軸部５１ｂが挿入される。軸部５１ｂは、挿入溝６７ａに挿入されることにより第４絶縁部６７を厚さ方向に貫通した状態となる。第４絶縁部６７は、正極導電部材１７の上端面１７ｂと蓋１４の内面１４ａとの間に配置され、正極導電部材１７と蓋１４とを絶縁する。すなわち、第４絶縁部６７は、第１〜第５の実施形態における内側絶縁部材５５の代わりとなる部材である。シールリング５６は、第４絶縁部６７の挿入溝６７ａの内側と引出端子５１の軸部５１ｂとの間に配置される。
【０１１２】
次に、二次電池１０の製造工程の一部である第１の絶縁カバー６０ｆ及び第２の絶縁カバー６０ｇの取り付け工程について説明する。
まず、電極組立体１２の正極タブ群２５ａと正極導電部材１７とを接合し、負極タブ群２８ａと負極導電部材１８とを接合する。また、正極導電部材１７と正極の引出端子５１の接合部５１ａとを接合し、負極導電部材１８と負極の引出端子５１の接合部５１ａとを接合する。
【０１１３】
次に、負極導電部材１８に第１の絶縁カバー６０ｆを取り付け、正極導電部材１７に第２の絶縁カバー６０ｇを取り付ける。第１の絶縁カバー６０ｆを負極導電部材１８に向けてスライドさせる。すなわち、第１の絶縁カバー６０ｆの第１〜第４絶縁部６１ａ〜６３ａ，６７、延在部６４、及び第１〜第３壁部６５ａ〜６５ｃによって囲まれた空間に負極導電部材１８を収容する。
【０１１４】
負極導電部材１８は、第１絶縁部６１ａと第２絶縁部６２ａとの間、及び第１壁部６５ａと第２壁部６５ｂとの間に挿入される。負極タブ群２８ａの基端側屈曲部２９ａは、第１絶縁部６１ａと延在部６４の第１縁部６４ａとの隙間に挿入され、負極タブ群２８ａの余剰部２９ｄと電極組立体１２のタブ側端面１２ａとの間には、延在部６４が挿入される。負極導電部材１８の下端面１８ａと電極組立体１２のタブ側端面１２ａとの間には第３絶縁部６３ａが挿入される。引出端子５１の軸部５１ｂは、第４絶縁部６７の挿入溝６７ａに挿入されるとともに、負極導電部材１８の上端面１８ｂと蓋１４の内面１４ａとの間には第４絶縁部６７が挿入される。正極導電部材１７に対する第２の絶縁カバー６０ｇの取り付けについても同様に行われる。
【０１１５】
次に、正極端子構造１５及び負極端子構造１６を蓋１４に組み付ける。正極導電部材１７の上端面１７ｂと蓋１４の内面１４ａとの間、及び負極導電部材１８の上端面１８ｂと蓋１４の内面１４ａとの間に、シールリング５６を介在させる。次に、各引出端子５１の軸部５１ｂの先端部をかしめ、シールリング５６を蓋１４の挿通孔の周囲に密接させる。これにより、電極組立体１２と蓋１４とが一体化されるとともに、正極タブ群２５ａ及び負極タブ群２８ａに基端側屈曲部２９ａ、延出部２９ｂ、及び先端側屈曲部２９ｃが形成される。
【０１１６】
その後、電極組立体１２をケース本体１３内に収容する。電極組立体１２がケース本体１３に収容されると、第１の絶縁カバー６０ｆの第１絶縁部６１ａは、負極タブ群２８ａの基端側屈曲部２９ａとケース本体１３の内面３１ａとの間に位置し、第２絶縁部６２ａは、負極タブ群２８ａの先端側屈曲部２９ｃとケース本体１３の内面３１ａとの間に位置する。同様に、第２の絶縁カバー６０ｇの第１絶縁部６１ｂは、正極タブ群２５ａの基端側屈曲部２９ａとケース本体１３の内面３１ａとの間に位置し、第２絶縁部６２ｂは、正極タブ群２５ａの先端側屈曲部２９ｃとケース本体１３の内面３１ａとの間に位置する。
【０１１７】
また、第１の絶縁カバー６０ｆの第１壁部６５ａは、負極導電部材１８の積層方向の一端部１８ｃとケース本体１３の内面３１ａとの間に位置し、第２壁部６５ｂは、負極導電部材１８の積層方向の他端部１８ｄとケース本体１３の内面３１ａとの間に位置し、第３壁部６５ｃは、負極導電部材１８の端側端部１８ｅとケース本体１３の内面３２ａとの間に位置する。同様に、第２の絶縁カバー６０ｇの第１壁部６５ａは、正極導電部材１７の積層方向の一端部１７ｃとケース本体１３の内面３１ａとの間に位置し、第２壁部６５ｂは、正極導電部材１７の積層方向の他端部１７ｄとケース本体１３の内面３１ａとの間に位置し、第３壁部６５ｃは、正極導電部材１７の端側端部１７ｅとケース本体１３の内面３２ａとの間に位置する。
【０１１８】
第６の実施形態では、第１の実施形態の効果（１），（３）、及び第５の実施形態の効果（７）〜（９）と同様の効果に加えて、以下の効果を得ることができる。
（１２）第１の絶縁カバー６０ｆの第４絶縁部６７により、負極導電部材１８の上端面１８ｂと蓋１４の内面１４ａとを絶縁できる。同様に、第２の絶縁カバー６０ｇの第４絶縁部６７により、正極導電部材１７の上端面１７ｂと蓋１４の内面１４ａとを絶縁できる。このため、第１〜第５の実施形態で設けられていた第３の絶縁カバー６０ｃ及び内側絶縁部材５５を省略できる。よって、二次電池１０の部品点数を増加させることなく、正極導電部材１７及び負極導電部材１８と蓋１４とを絶縁できる。
【０１１９】
なお、第１〜第６の実施形態は、以下のように変更してもよい。
○  第１〜第６の実施形態において、正極電極２０において、正極活物質層２４は正極金属箔２３の片面に存在してもよい。同様に、負極電極２１において、負極活物質層２７は負極金属箔２６の片面に存在してもよい。
【０１２０】
○  第１〜第４の実施形態において、正極タブ群２５ａ及び負極タブ群２８ａは、先端側屈曲部２９ｃを備えず、基端側屈曲部２９ａ及び延出部２９ｂのみを備える構成でもよい。この場合、正極電極２０及び負極電極２１の積層方向における正極タブ群２５ａ及び負極タブ群２８ａの端部のうち他方の端部は、延出部２９ｂの先端部となる。
【０１２１】
○  第１〜第６の実施形態において、正極端子構造１５及び負極端子構造１６は、引出端子５１、端子接続部材５２、外部接続端子５３を用いた構造以外でもよく、例えば、電極端子が正極導電部材１７（負極導電部材１８）に直接接続されたものでもよい。
【０１２２】
○  第１の実施形態において、第３の絶縁カバー６０ｃを省略してもよい。
○  第１の実施形態において、第１の絶縁カバー６０ａの第３絶縁部６３ａは、負極導電部材１８と電極組立体１２とを絶縁する機能を有していなくてもよい。同様に、第２の絶縁カバー６０ｂの第３絶縁部６３ｂは、正極導電部材１７と電極組立体１２とを絶縁する機能を有していなくてもよい。この場合、第３絶縁部６３ａ，６３ｂは、第１絶縁部６１ａ，６１ｂと第２絶縁部６２ａ，６２ｂとを連結する連結部材としての機能のみを有する。
【０１２３】
○  第１の実施形態において、第１及び第２絶縁部６１ａ，６２ａの上端面Ａ１，Ａ２は、負極導電部材１８の電極組立体１２側の下端面１８ａより上側に位置してもよい。また、第１及び第２絶縁部６１ａ，６２ａの下端面Ｂ１，Ｂ２は、電極組立体１２のタブ側端面１２ａより下側に位置してもよい。
【０１２４】
○  第２の実施形態において、各第３絶縁部７３は、正極導電部材１７（負極導電部材１８）と蓋１４とを絶縁する機能を有していなくてもよい。この場合、各第３絶縁部７３は、第１絶縁部７１と第２絶縁部７２とを連結する連結部材としての機能のみを有する。
【０１２５】
○  第２の実施形態において、第１及び第２絶縁部７１，７２の下端面７１ａ，７２ａは、電極組立体１２のタブ側端面１２ａより下側に位置してもよい。
○  第２の実施形態において、第１及び第２の絶縁カバー７０ａ，７０ｂの他に、正極導電部材１７と電極組立体１２とを絶縁する絶縁カバーを追加してもよい。同様に、負極導電部材１８と電極組立体１２とを絶縁する絶縁カバーを追加してもよい。
【０１２６】
○  第３の実施形態において、第１の絶縁カバー８０ａは、負極導電部材１８と電極組立体１２とを絶縁するものとし、第１及び第２絶縁部８１，８２は、第２の絶縁カバー８０ｂに形成されてもよい。
【０１２７】
○  第４の実施形態において、第１及び第２の絶縁カバー９０ａ，９０ｂの他に、正極導電部材１７と電極組立体１２とを絶縁する絶縁カバーを追加してもよい。同様に、負極導電部材１８と電極組立体１２とを絶縁する絶縁カバーを追加してもよい。
【０１２８】
○  第４の実施形態において、第１及び第２の絶縁カバー９０ａ，９０ｂの他に、正極導電部材１７及び負極導電部材１８と蓋１４とを絶縁する絶縁部材（例えば、第１の実施形態の第３の絶縁カバー６０ｃ）を追加してもよい。
【０１２９】
○  第５の実施形態において、正極導電部材１７及び負極導電部材１８の凹部１７１，１８１を省略してもよい。この場合、第１の絶縁カバー６０ｄの突部６６は、例えば、負極導電部材１８の上端面１８ｂに支持される。同様に、第２の絶縁カバー６０ｅの突部６６は、例えば、正極導電部材１７の上端面１７ｂに支持される。
【０１３０】
さらに、第１の絶縁カバー６０ｄは、突部６６の幅方向における内側絶縁部材５５側の端部が、内側絶縁部材５５における負極タブ群２８ａ側の端部と対向するような構成でもよい。この場合、第１の絶縁カバー６０ｄが幅方向外側に移動しようとすると、突部６６は内側絶縁部材５５の端部に接触する。これにより、第１の絶縁カバー６０ｄの幅方向外側への移動を規制できる。同様に、第２の絶縁カバー６０ｅは、突部６６の幅方向における内側絶縁部材５５側の端部が、内側絶縁部材５５における正極タブ群２５ａ側の端部と対向するような構成でもよい。この場合、第２の絶縁カバー６０ｅが幅方向外側に移動しようとすると、突部６６は内側絶縁部材５５の端部に接触する。これにより、第２の絶縁カバー６０ｅの幅方向外側への移動を規制できる。
【０１３１】
○  第５の実施形態において、正極導電部材１７及び負極導電部材１８の凹部１７１，１８１の代わりに、各内側絶縁部材５５の積層方向の一端部及び他端部に凹部を形成してもよい。
【０１３２】
○  第５及び第６の実施形態において、第１縁部６４ａに位置する交差部Ｒのみが角取りされた形状であってもよいし、第２縁部６４ｂに位置する交差部Ｒのみが角取りされた形状であってもよい。
【０１３３】
○  第６の実施形態において、第１の絶縁カバー６０ｆの第４絶縁部６７の長手方向の寸法は、負極導電部材１８の長手方向の寸法よりも短くてもよい。ただし、蓋１４の内面１４ａと負極導電部材１８の上端面１８ｂとの間において第４絶縁部６７が配置されない部分については、例えば、蓋１４と負極導電部材１８とが十分な距離で離間することによって絶縁されるものとする。同様に、第２の絶縁カバー６０ｇの第４絶縁部６７の長手方向の寸法は、正極導電部材１７の長手方向の寸法よりも短くてもよい。ただし、蓋１４の内面１４ａと正極導電部材１７の上端面１７ｂとの間において第４絶縁部６７が配置されない部分については、例えば、蓋１４と正極導電部材１７とが十分な距離で離間することによって絶縁されるものとする。
【０１３４】
○  第１の実施形態の取り付け工程において、第１〜第３の絶縁カバー６０ａ〜６０ｃを取り付ける順序は適宜変更してよい。例えば、第１及び第２の絶縁カバー６０ａ，６０ｂを取り付けた後、第３の絶縁カバー６０ｃを介して電極組立体１２と蓋１４とを一体化してもよい。
【０１３５】
○  第６の実施形態において、蓋１４、正極端子構造１５、負極端子構造１６、正極導電部材１７、負極導電部材１８、第１の絶縁カバー６０ｆ、及び第２の絶縁カバー６０ｇを組み付けた後で、正極導電部材１７と正極タブ群２５ａとを接合し、負極導電部材１８と負極タブ群２８ａとを接合してもよい。この場合、延在部６４を省略してもよい。
【０１３６】
○  蓄電装置は、例えばキャパシタなど、二次電池以外の蓄電装置にも適用可能である。
○  二次電池１０は、リチウムイオン二次電池以外の他の二次電池であってもよい。要は、正極用の活物質と負極用の活物質との間をイオンが移動するとともに電荷の教授を行うものであればよい。
【０１３７】
以下、第２の実施形態及び第３の実施形態から把握できる技術的思想を記載する。
（イ）正極の前記タブ群の一端部と前記ケース本体の内面とを絶縁する第１絶縁部と、負極の前記タブ群の一端部と前記ケース本体の内面とを絶縁する第１絶縁部とは一体化され、かつ正極の前記タブ群の他端部と前記ケース本体の内面とを絶縁する第２絶縁部と、負極の前記タブ群の他端部と前記ケース本体の内面とを絶縁する第２絶縁部とは一体化されている蓄電装置。
【０１３８】
（ロ）同じ極性の前記タブ群と接合され、前記蓋と、該蓋の内面に対向し、かつ前記タブ群が存在する前記電極組立体のタブ側端面との間に配置された一対の導電部材を備え、前記幅方向における前記第１絶縁部の寸法、及び前記第２絶縁部の寸法はそれぞれ、前記幅方向における前記導電部材間の距離よりも短く、前記導電部材間から前記タブ側端面と前記蓋との間に前記絶縁部材を配置した後、前記絶縁部材を前記幅方向にスライドさせる蓄電装置の製造方法。
【符号の説明】
【０１３９】
１０…蓄電装置としての二次電池、１１…ケース、１２…電極組立体、１２ａ…タブ側端面、１３…ケース本体、１３ａ…開口部、３１ａ…内面、３２ａ…内面、１４…蓋、１４ａ…内面、１７…導電部材としての正極導電部材、１７ｃ…一端部、１７ｄ…他端部、１８…導電部材としての負極導電部材、１８ｃ…一端部、１８ｄ…他端部、２０…電極としての正極電極、２０ａ…一辺としてのタブ側縁部、２１…電極としての負極電極、２１ａ…一辺としてのタブ側縁部、２５…タブとしての正極タブ、２５ａ…タブ群としての正極タブ群、２８…タブとしての負極タブ、２８ａ…タブ群としての負極タブ群、２９ａ…一端部としての基端側屈曲部、２９ｃ…他端部としての先端側屈曲部、２９ｄ…余剰部、６０，７０，８０，９０…絶縁部材としての絶縁カバー、６１ａ，６１ｂ，７１，８１，９１…第１絶縁部、６２ａ，６２ｂ，７２，８２，９２…第２絶縁部、６３ａ，６３ｂ，７３，８３…連結部としての第３絶縁部、６４…延在部、６４ａ…縁部としての第１縁部、６４ｂ…縁部としての第２縁部、６５ａ…絶縁壁部としての第１壁部、６５ｂ…絶縁壁部としての第２壁部、６５ｃ…絶縁壁部としての第３壁部、６６…突部、６７…蓋側絶縁部としての第４絶縁部、９３…連結部、１７１，１８１…凹部、Ｃ６１ａ，Ｃ６１ｂ，Ｃ６２ａ，Ｃ６２ｂ，Ｃ７１，Ｃ７２，Ｃ８１，Ｃ８２，Ｃ９１，Ｃ９２…対向面としての内面、Ｓ６０ａ，Ｓ６０ｂ，Ｓ７０ａ，Ｓ７０ｂ，Ｓ８０ａ，Ｓ９０ａ，Ｓ９０ｂ…空間、Ｒ…交差部。
【図１】
2018206758.tif 000003
【図２】
2018206758.tif 000004
【図３】
2018206758.tif 000005
【図４】
2018206758.tif 000006
【図５】
2018206758.tif 000007
【図６】
2018206758.tif 000008
【図７】
2018206758.tif 000009
【図８】
2018206758.tif 000010
【図９】
2018206758.tif 000011
【図１０】
2018206758.tif 000012
【図１１】
2018206758.tif 000013